(57)【要約】【課題】高コスト化を招くことなく、ピッチが短く、高い回折効率を有する回折光学素子を得る。【解決手段】光学的異方性を示す領域と光学的等方性を示す領域の周期構造を有する回折光学素子を多光束干渉光を用いて製造する際に、非重合性液晶と重合性モノマーと光重合開始剤とを混合し、光学的異方性を示す領域の異常光屈折率と光学的等方性を示す領域の屈折率との差が略最大値となる温度で混合物に多光束干渉光を照射する。これにより、高コスト化を招くことなく、ピッチが短く、回折効率が高い回折光学素子を得ることができる。【選択図】図５
2006243416.tif 000002
【特許請求の範囲】
【請求項１】
光学的異方性を示す第１の領域と光学的等方性を示す第２の領域の周期構造を有する回折光学素子を多光束干渉光を用いて製造する製造方法であって、
非重合性の液晶と重合性を有する高分子と光重合開始剤とを混合した混合物を作成する工程と；
前記第１の領域の異常光屈折率と前記第２の領域の屈折率との差が略最大となる露光温度に前記混合物を加熱する工程と；
前記露光温度に加熱された前記混合物に多光束干渉光を照射する工程と；を含む回折光学素子の製造方法。
【請求項２】
前記露光温度は、前記混合物における液晶と高分子とが相分離を開始する相分離温度に基づいて決定された温度であることを特徴とする請求項１に記載の回折光学素子の製造方法。
【請求項３】
前記露光温度は、予め取得された相分離温度と露光温度との関係を示す近似式に、前記混合物の相分離温度を代入して算出された温度であることを特徴とする請求項２に記載の回折光学素子の製造方法。
【請求項４】
前記露光温度は、前記液晶の末端基の種類に応じた温度であることを特徴とする請求項１〜３のいずれか一項に記載の回折光学素子の製造方法。
【請求項５】
前記液晶は、その末端がハロゲン基の２環あるいは多環の材料を主成分とする液晶であることを特徴とする請求項１〜４のいずれか一項に記載の回折光学素子の製造方法。
【請求項６】
請求項１〜５のいずれか一項に記載の回折光学素子の製造方法によって製造された回折光学素子。
【請求項７】
光記録媒体に対する情報の記録、再生、及び消去のうち少なくとも再生を行なうために用いられる光ピックアップ装置であって、
光源と；
前記光源から出射された光束を光記録媒体の記録面に集光する対物レンズと、前記記録面で反射され前記対物レンズを介した戻り光束の光路上に配置され、前記戻り光束を回折する請求項６に記載の回折光学素子とを含む光学系と；
前記回折光学素子からの回折光を受光する光検出器と；を備える光ピックアップ装置。
【請求項８】
光記録媒体に対して、情報の記録、再生、及び消去のうち少なくとも再生を行なう光ディスク装置であって、
請求項７に記載の光ピックアップ装置と；
前記光ピックアップ装置からの出力信号を用いて、情報の再生を行なう処理装置と；を備える光ディスク装置。
【発明の詳細な説明】
【技術分野】
【０００１】
本発明は、回折光学素子の製造方法、回折光学素子、光ピックアップ装置及び光ディスク装置に係り、さらに詳しくは、光学的異方性を示す領域と光学的等方性を示す領域の周期構造を有する回折光学素子の製造方法、該製造方法で製造された回折光学素子、該回折光学素子を用いた光ピックアップ装置、及び該光ピックアップ装置を備えた光ディスク装置に関する。
【背景技術】
【０００２】
光ディスク装置では、光記録媒体として、例えばＣＤ（compact disc）、ＤＶＤ（digital versatile disc）などの光ディスクが用いられ、該光ディスクのスパイラル状又は同心円状のトラックが形成された記録面にレーザ光の微小スポットを形成することにより情報の記録を行い、記録面からの反射光に基づいて情報の再生などを行っている。そして、光ディスク装置には、光記録媒体の記録面にレーザ光を照射するとともに、記録面からの反射光を受光するために、光ピックアップ装置が設けられている。
【０００３】
通常、光ピックアップ装置は、対物レンズを含み、光源から出射される光束を光記録媒体の記録面に導くとともに、記録面で反射された戻り光束を所定の受光位置まで導く光学系、及び受光位置に配置された受光素子などを備えている。この受光素子からは、記録面に記録されているデータの再生情報だけでなく、光ピックアップ装置自体及び対物レンズの位置制御などに必要な情報（サーボ制御情報）を含む信号が出力される。
【０００４】
近年、パーソナルコンピュータ（パソコン）に代表される情報機器の小型化、低価格化が進み、特にモバイル型のパソコンが急速に普及しつつある。そして、それに伴って、パソコンの周辺機器の一つである、光ディスク装置の薄型化及び低価格化への要求が高まっている。
【０００５】
そこで、光ディスク装置の構成要素の一つである光ピックアップ装置の小型化（薄型化）、低コスト化を促進するために、記録面で反射された戻り光束を受光位置に導く光学素子の１つにホログラム素子などの回折光学素子を用いることが提案された。また、回折光学素子の製造方法についても精力的に検討された（例えば、特許文献１〜特許文献５参照）。
【０００６】
光ピックアップ装置では、回折光学素子での回折角が大きくなると、回折光学素子と受光素子との間隔を小さくすることができるため、光ピックアップ装置の小型化が可能となる。回折光学素子での回折角を大きくするには、回折格子のピッチを短くする必要がある。
【０００７】
ところで、最近、光ディスクの記録密度を高くするため、光源から出射される光束の波長を更に短くすることが図られている。光源から出射される光束の波長が短くなると、受光素子の感度が低下するため、光利用効率を更に向上させることが必要である。
【０００８】
そこで、ピッチが短く、高い回折効率を有する回折光学素子が必要とされる。
【０００９】
しかしながら、特許文献１〜特許文献５に開示されている方法では、ピッチが短く、高い回折効率を有する回折光学素子を安価に製造するのは困難であった。
【００１０】
【特許文献１】特開平７−２８７１１７号公報
【特許文献２】特開平１０−９２００４号公報
【特許文献３】特開平１０−７４３３３号公報
【特許文献４】特開平１１−２７１５３６号公報
【特許文献５】特開２０００−２２１４６５号公報
【発明の開示】
【発明が解決しようとする課題】
【００１１】
本発明は、かかる事情の下になされたもので、その第１の目的は、高コスト化を招くことなく、ピッチが短く、高い回折効率を有する回折光学素子を製造することができる製造方法を提供することにある。
【００１２】
また、本発明の第２の目的は、ピッチが短く、高い回折効率を有する回折光学素子を安価に提供することにある。
【００１３】
また、本発明の第３の目的は、大型化及び高コスト化を招くことなく、所望の信号を得ることができる光ピックアップ装置を提供することにある。
【００１４】
また、本発明の第４の目的は、大型化及び高コスト化を招くことなく、光記録媒体への安定したアクセスを行うことができる光ディスク装置を提供することにある。
【課題を解決するための手段】
【００１５】
請求項１に記載の発明は、光学的異方性を示す第１の領域と光学的等方性を示す第２の領域の周期構造を有する回折光学素子を多光束干渉光を用いて製造する製造方法であって、非重合性の液晶と重合性を有する高分子と光重合開始剤とを混合した混合物を作成する工程と；前記第１の領域の異常光屈折率と前記第２の領域の屈折率との差が略最大値となる露光温度に前記混合物を加熱する工程と；前記露光温度に加熱された前記混合物に多光束干渉光を照射する工程と；を含む回折光学素子の製造方法である。
【００１６】
これによれば、光学的異方性を示す第１の領域と光学的等方性を示す第２の領域の周期構造を有する回折光学素子を多光束干渉光を用いて製造する際に、非重合性の液晶と重合性を有する高分子と光重合開始剤とが混合され、第１の領域の異常光屈折率と第２の領域の屈折率との差が略最大値となる露光温度に加熱される。そして、露光温度に加熱された混合物に多光束干渉光が照射される。この場合には、周期構造のピッチを１μｍ程度とすることが容易であり、かつ高い回折効率を得るのに適切な露光温度を容易に決定することができるため、高コスト化を招くことなく、ピッチが短く、回折効率が高い回折光学素子を製造することが可能となる。
【００１７】
この場合において、請求項２に記載の回折光学素子の製造方法の如く、前記露光温度は、前記混合物における液晶と高分子とが相分離を開始する相分離温度に基づいて決定された温度であることとすることができる。
【００１８】
この場合において、請求項３に記載の回折光学素子の製造方法の如く、前記露光温度は、予め取得された相分離温度と露光温度との関係を示す近似式に、前記混合物の相分離温度を代入して算出された温度であることとすることができる。
【００１９】
上記請求項１〜３に記載の各回折光学素子の製造方法において、請求項４に記載の回折光学素子の製造方法の如く、前記露光温度は、前記液晶の末端基の種類に応じた温度であることとすることができる。
【００２０】
上記請求項１〜４に記載の各回折光学素子の製造方法において、請求項５に記載の回折光学素子の製造方法の如く、前記液晶は、その末端がハロゲン基の２環あるいは多環の材料を主成分とする液晶であることとすることができる。
【００２１】
請求項６に記載の発明は、請求項１〜５のいずれか一項に記載の回折光学素子の製造方法によって製造された回折光学素子である。
【００２２】
これによれば、請求項１〜５のいずれか一項に記載の回折光学素子の製造方法によって製造されているため、安価であり、かつピッチが短く、高い回折効率を有している。
【００２３】
請求項７に記載の発明は、光記録媒体に対する情報の記録、再生、及び消去のうち少なくとも再生を行なうために用いられる光ピックアップ装置であって、光源と；前記光源から出射された光束を光記録媒体の記録面に集光する対物レンズと、前記記録面で反射され前記対物レンズを介した戻り光束の光路上に配置され、前記戻り光束を回折する請求項６に記載の回折素子とを含む光学系と；前記回折素子からの回折光を受光する光検出器と；を備える光ピックアップ装置である。
【００２４】
これによれば、安価で、かつピッチが短く、高い回折効率を有している請求項６に記載の回折素子を有しているため、大型化及び高コスト化を招くことなく、所望の信号を得ることが可能となる。
【００２５】
請求項８に記載の発明は、光記録媒体に対して、情報の記録、再生、及び消去のうち少なくとも再生を行なう光ディスク装置であって、請求項７に記載の光ピックアップ装置と；前記光ピックアップ装置からの出力信号を用いて、前記情報の再生を行なう処理装置と；を備える光ディスク装置である。
【００２６】
これによれば、大型化及び高コスト化を招くことなく、所望の信号を得ることができる請求項７に記載の光ピックアップ装置を備えているため、大型化及び高コスト化を招くことなく、光記録媒体への安定したアクセスを行うことが可能となる。
【発明を実施するための最良の形態】
【００２７】
以下、本発明の一実施形態を図１〜図１１に基づいて説明する。図１には、本発明の一実施形態に係る光ディスク装置２０の概略構成が示されている。
【００２８】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、一例としてＤＶＤ＋ＲＷの規格に準拠した光記録媒体が光ディスク１５に用いられるものとする。
【００２９】
前記光ピックアップ装置２３は、光ディスク１５の記録面にレーザ光を集光するとともに、その記録面からの反射光を受光するための装置である。この光ピックアップ装置２３は、一例として図２に示されるように、光源としての半導体レーザＬＤ、回折光学素子としての偏光ホログラムＨＧ、１／４波長板５５、コリメートレンズ５２、対物レンズ６０、光検出器としての受光器ＰＤ、及び駆動系（図示省略）などを備えている。
【００３０】
半導体レーザＬＤは、波長が約６６０ｎｍのレーザ光を出射する。なお、本実施形態では、半導体レーザＬＤから出射されるレーザ光の最大強度出射方向を＋Ｘ方向とする。また、一例として半導体レーザＬＤから出射される光束はＳ偏光であるものとする。
【００３１】
偏光ホログラムＨＧは、半導体レーザＬＤの＋Ｘ側に配置されている。この偏光ホログラムＨＧは、位相変調型のいわゆる厚い回折光学素子であり、一例として図３に示されるように、２枚のガラス基板１０５、液晶を主成分とする異方性領域１０１（第１の領域）、高分子を主成分とする等方性領域１０３（第２の領域）などから構成されている。異方性領域１０１及び等方性領域１０３は、各ガラス基板の間に挟まれ、周期構造を有している。本実施形態では、一例として周期配列方向がＺ軸方向であるものとする。すなわち、φ＝９０度である。また、以下では、２枚のガラス基板１０５の間隔ｄを「膜厚ｄ」ともいう。なお、ガラス基板に代えて、透明なプラスチック基板を用いても良い。
【００３２】
また、偏光ホログラムＨＧは、その回折効率が入射光束の偏光状態によって異なっている。ここでは、図４（Ａ）に示されるようにＳ偏光に対しては高い透過率を有し、図４（Ｂ）に示されるようにＰ偏光に対しては高い回折効率を有している。すなわち、Ｓ偏光に対する異方性領域１０１の屈折率ｎoは、等方性領域１０３の屈折率ｎにほぼ等しく、Ｐ偏光に対する異方性領域１０１の屈折率ｎeは、等方性領域１０３の屈折率ｎと異なっている。
【００３３】
１／４波長板５５は、偏光ホログラムＨＧの＋Ｘ側に配置されている。この１／４波長板５５は、入射した光束に１／４波長の光学的位相差を付与する。
【００３４】
コリメートレンズ５２は、１／４波長板５５の＋Ｘ側に配置されている。このコリメートレンズ５２は、１／４波長板５５からの光束を略平行光とする。
【００３５】
対物レンズ６０は、コリメートレンズ５２の＋Ｘ側に配置されている。この対物レンズ６０は、コリメートレンズ５２からの光束を光ディスク１５の記録面に集光する。
【００３６】
受光器ＰＤは、半導体レーザＬＤの近傍に配置され、偏光ホログラムＨＧで回折されたディスク１５からの戻り光束を受光する。この受光器ＰＤは、再生信号処理回路２８にてＲＦ信号、ウォブル信号及びサーボ信号などを検出するのに最適な信号（光電変換信号）を生成するための複数の受光素子（又は受光領域）を含んで構成されている。
【００３７】
前記駆動系（図示省略）は、対物レンズ６０の光軸方向であるフォーカス方向に対物レンズ６０を微少駆動するためのフォーカシングアクチュエータ、及びトラックの接線方向に直交する方向であるトラッキング方向に対物レンズ６０を微少駆動するためのトラッキングアクチュエータなどから構成されている。
【００３８】
上記のように構成される光ピックアップ装置２３の作用を簡単に説明する。
【００３９】
半導体レーザＬＤから出射された直線偏光（ここではＳ偏光）の光束は、偏光ホログラムＨＧに入射する。この光束の大部分は偏光ホログラムＨＧをそのまま透過し、１／４波長板５５で円偏光とされ、コリメートレンズ５２で略平行光となり、対物レンズ６０を介して光ディスク１５の記録面に微小スポットとして集光される。
【００４０】
光ディスク１５からの反射光は、往路とは反対回りの円偏光となり、戻り光束として対物レンズ６０で再び略平行光とされ、コリメートレンズ５２で収束光となり、１／４波長板５５で往路と直交した直線偏光（ここではＰ偏光）とされる。そして、この戻り光束は偏光ホログラムＨＧに入射し、偏光ホログラムＨＧで受光器ＰＤの方向に回折される。受光器ＰＤでは受光素子（又は受光領域）毎に光電変換され、各光電変換信号はそれぞれ再生信号処理回路２８に出力される。
【００４１】
なお、１／４波長板５５は、偏光ホログラムＨＧと対物レンズ６０との間にあれば良い。
【００４２】
図１に戻り、前記再生信号処理回路２８は、前記受光器ＰＤの出力信号（複数の光電変換信号）に基づいて、従来と同様にして、サーボ信号（フォーカスエラー信号やトラックエラー信号など）、アドレス情報、同期信号、及びＲＦ信号などを取得する。ここで得られたサーボ信号は前記駆動制御回路２６に出力され、アドレス情報はＣＰＵ４０に出力され、同期信号はエンコーダ２５や駆動制御回路２６などに出力される。また、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００４３】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００４４】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４５】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４６】
前記レーザ制御回路２４は、前記半導体レーザＬＤの発光パワーを制御する。例えば記録の際には、前記書き込み信号、記録条件及び半導体レーザＬＤの発光特性などに基づいて、半導体レーザＬＤの駆動信号がレーザ制御回路２４にて生成される。
【００４７】
前記インターフェース３８は、上位装置９０（例えば、パソコン）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００４８】
前記フラッシュメモリ３９には、ＣＰＵ４０にて解読可能なコードで記述された各種プログラム、記録パワーや記録ストラテジ情報を含む記録条件、及び半導体レーザＬＤの発光特性などが格納されている。
【００４９】
前記ＣＰＵ４０は、フラッシュメモリ３９に格納されている上記プログラムに従って光ディスク装置２０の全体を制御するとともに、制御に必要なデータなどをＲＡＭ４１及びバッファＲＡＭ３４に保存する。
【００５０】
《偏光ホログラムＨＧの製造方法》
次に、偏光ホログラムＨＧの製造方法について説明する。
（１）厚さ０．７ｍｍのガラス基板の片面に青色光に対する反射防止膜を形成する。反射防止膜を形成後、４００ｎｍ〜４５０ｎｍの光をガラス基板面に垂直な方向に対して±４０度傾斜して照射したときの反射率は０．４％以下であった。
（２）ガラス基板の反射防止膜が形成されていない面の両端部に、ビーズが混入された接着剤を塗布する。ビーズは所定の膜厚を確保するために混入されている。なお、膜厚が確保できれば、他の手段を用いても良い。
（３）二枚のガラス基板を貼り合わせる。以下では、二枚のガラス基板が貼り合わされたものを「セル」ともいう。なお、セルの作成はクリーンルーム内にて行われる。
（４）非重合性の液晶、重合性を有するモノマー（あるいはプレポリマー）、及び光重合開始剤などを振動子とともに褐色瓶（２０ｍｌ〜１００ｍｌ）に入れる。振動子は褐色瓶の中を攪拌するためのものである。なお、更に熱重合禁止剤、可塑剤等を添加しても良い。
（５）褐色瓶をデジタルホットプレート上に乗せ、振動子を１００ｒｐｍ〜３００ｒｐｍで回転させながら、等方相転移温度（Ｔniとする）まで加熱する。これにより、液晶、モノマー（あるいはプレポリマー）、及び光重合開始剤は分散する。
（６）ピペットチップを用いて褐色瓶中の混合物をセルのガラス基板間の隙間に塗布する。これにより、ガラス基板間の空隙は、毛細管現象により混合物に置き換わる。すなわち、セルに混合物が注入される。以下では便宜上、混合物が注入されたセルを「混合セル」ともいう。
（７）混合セルを加熱装置（ヤマキ製：サーミスタ、ペルチェ素子使用、φ２０ｍｍの開口部あり）に取り付け、予め液晶とモノマー（あるいはプレポリマー）の混合物が相分離を開始する温度（以下「相分離温度Ｔsp」という）に基づいて決定された露光温度に加熱する。
（８）加熱装置の温度コントローラの表示温度が一定になってから約１分経過後、二光束干渉露光系を用いて混合セルを露光する。この二光束干渉露光系は、一例として波長４４２ｎｍ、出力８０ｍＷのＨe−Ｃdレーザを備えている。Ｈe−Ｃd レーザからの光束は２つの光束に分割され、そして拡大される。１つの光束は約１０ｍＷ／ｃｍ2の平行光である。なお、２つの光束の交差角度は２６度に設定されている。この波長と交差角度では２光束が交差する領域に約１μｍ周期の干渉縞が生成される（図５（Ａ）参照）。また、露光量としては、０．５Ｊ／ｃｍ2から３０Ｊ／ｃｍ2が好ましく、１Ｊ／ｃｍ2から１５Ｊ／ｃｍ2がより好ましい。また、このとき、外気温度を２５℃とした。また、露光中は塵と気流等の影響を防ぐため、混合セルの周囲をアクリル板で囲うことが好ましい。
（９）混合セルは露光されることにより、上記干渉縞の明部（図５（Ａ）参照）に対応する部分でモノマー（あるいはプレポリマー）の光重合反応が始まる。この時、硬化収縮に伴って混合物内に密度差が生じ、隣接するモノマー（あるいはプレポリマー）が明部に移動し更に重合が進行する。それと同時に明部に存在していた液晶が暗部に向かって追い出される。このとき、液晶分子にはモノマーや重合により生成されたポリマー鎖との相互作用により液晶分子の長軸を液晶の移動方向に配向させようとする力が働く。すなわち、干渉縞の間隔方向に液晶分子を配向させようとする力が働く。
（１０）モノマーの光重合反応が終了すると、図５（Ｂ）及び図５（Ｃ）に示されるように、干渉縞の明暗のピッチに対応してポリマー層と液晶層の周期構造が形成され、液晶層における配向ベクトルが干渉縞の間隔方向に向いた状態となる。ここでは、ポリマー層と液晶層の周期構造のピッチは、干渉縞の周期と同じ約１μｍである。なお、図５（Ｃ）はガラス基板を通してみたときの図である。ここでは、露光時間は約１分とした。
（１１）混合セルを冷却する。これによって、偏光ホログラムＨＧが得られる。すなわち、液晶層が異方性領域１０１であり、ポリマー層が等方性領域１０３である。なお、液晶層にはポリマーが若干含まれ、ポリマー層には液晶が若干含まれている。
【００５１】
《非重合性の液晶》
前記非重合性の液晶としては、屈折率異方性を有する液晶であれば一般的なものを使用することができる。例えば、公知のビフェニル、ターフェニル、フェニルシクロヘキサン、ビフェニルシクロヘキサン、安息香酸フェニルエステル、シクロヘキサンカルボン酸フェニルエステル、フェニルピリミジン、フェニルジオキサン、トラン、１−フェニル−２−シクロヘキシルエタン、１−フェニル−２−ビフェニルエタン、１−シクロヘキシル−２−ビフェニルエタン、ビフェニルカルボン酸フェニルエステル、４−シクロヘキシル安息香酸フェニルエステルなどを骨格とし、アルキル基、アルコキシ基や誘電異方性を付与するための極性付与基としてのシアノ基、ハロゲン基などを置換基として有する液晶を用いることができる。
【００５２】
《重合性を有するモノマー（あるいはプレポリマー）》
前記重合性を有するモノマーあるいはプレポリマーとしては、重合による硬化収縮の大きいものが好ましい。そこで、重合性モノマーとしては、エチレン性不飽和結合を有する光重合可能な化合物であって、１分子中に少なくともエチレン性不飽和二重結合を１個有する光重合、あるいは光架橋可能なモノマー、オリゴマー、プレポリマー及びそれらの混合物を用いることができる。モノマー及びその共重合体の例としては、不飽和カルボン酸及びその塩、不飽和カルボン酸と脂肪族多価アルコール化合物とのエステル、不飽和カルボン酸と脂肪族多価アミン化合物とのアミド等が挙げられ、特に２官能以上の多官能性モノマーは硬化収縮が大きく、好適である。不飽和カルボン酸のモノマーとしてはアクリル酸、メタクリル酸、イタコン酸、クロトン酸、イソクロトン酸、マレイン酸、及びそれらのハロゲン置換不飽和カルボン酸、例えば塩素化不飽和カルボン酸、臭素化不飽和カルボン酸、弗素化不飽和カルボン酸等が挙げられる。不飽和カルボン酸の塩としては前述した各酸のナトリウム塩及びカリウム塩等がある。また、ウレタンアクリレート類、ポリエステルアクリレート類、エポキシ樹脂と（メタ）アクリル酸等の多官能性のアクリレートやメタクリレートを挙げることができる。
【００５３】
《光重合開始剤》
光重合開始剤としては、公知の材料を用いることができる。例えばビアセチル、アセトフェノン、ベンゾフェノン、ミヒラーケトン、ベンジル、ベンゾインアルキルエーテル、ベンジルジメチルケタール、１−ヒドロキシ−２−メチル−１−フェニルプロパン−１−オン、２−クロロチオキサントン、メチルベンゾイルフォーメート、１−（４−イソプロピルフェニル）−２−ヒドロキシ−２−メチルプロパン−１−オン、ジエトキシアセトフェノン、１−ヒドロキシシクロヘキシルフェニルケトン、２，２−ジメトキシ−１，２−ジフェニルエタン−１−オン、α−アミノアルキルフェノン、ビスアシルフォスフィンオキサイド、メタロセンなどを用いることができる。
【００５４】
《露光温度の決定式》
次に、前記露光温度の決定式について説明する。ここでは、非重合性の液晶として、図６に示されるように、互いに異なる特性を有する８種類（Ａ〜Ｈ）の液晶を用いた。
【００５５】
１．相分離温度Ｔspの測定
（１）（ａ）Ａ〜Ｈのうちの１つの液晶：２５重量部、（ｂ）フェニルグリシジルエーテルアクリレートヘキサメチレンジイソシアネートウレタンプレポリマー(共栄社化学製ＡＨ６００)：７５重量部、（ｃ）ジメチロールトリシクロデカンジアクリレート(共栄社化学製ＤＣＰ−Ａ)：１０重量部、（ｄ）２−ヒドロキシエチルメタクリレート(共栄社化学製ＨＯ)：５重量部、の混合物を振動子とともに褐色瓶（２０ｍｌ〜１００ｍｌ）入れる。（ｂ）〜（ｄ）は、重合性を有するモノマー（あるいはプレポリマー）である。
（２）褐色瓶をデジタルホットプレート上に乗せ、振動子を１００ｒｐｍ〜３００ｒｐｍで回転させながら、等方相転移温度Ｔniまで加熱する。
（３）混合セルを作成する。
（４）混合セルを温調ステージ（メトラー製）に乗せ、偏光微分顕微鏡で観察する。ここでは、検光子と偏光子をクロスニコルに設定し、セルの温度を約−０．２℃／ｍｉｎで低下させる。観察温度が高いときは、混合物は等方性であるため、観察像は一様に暗であるが、観察温度を下げていくと高分子と液晶とは相分離を開始し、いわゆる液晶ドロップレットが観察される。この液晶ドロップレットが観察され始める開始温度を求める。
（５）上記観察を２回行い、それらの観察で得られた開始温度の平均値を相分離温度Ｔspとする。ここでは、図７に示されるように、液晶ＡではＴsp＝２４．４℃、液晶ＢではＴsp＝１４．０℃、液晶ＣではＴsp＝４９．０℃、液晶ＤではＴsp＝４３．４℃、液晶ＥではＴsp＝６９．１℃、液晶ＦではＴsp＝７１．２℃、液晶ＧではＴsp＝６７．５℃、液晶ＨではＴsp＝１０．６℃であった。
【００５６】
２．テスト用回折光学素子の製造
（１）上記（ａ）〜（ｄ）に、光重合開始剤として（ｅ）ビスアシルフォスフィンオキサイド系光重合開始剤(チバガイギー製イルガキュア８１９）：１重量部、を加えた混合物を用いて、上記と同様にして混合セルを作成する。
（２）種々の露光温度で、上記と同様にして混合セルを露光し、テスト用回折光学素子を製造する。
【００５７】
３．屈折率変調量ΔｎHの取得
（１）入射光強度が約５ｍＷになるようにＮＤフィルターを用いて調整された波長４４２ｎｍの直線偏光のレーザ光をテスト用回折光学素子に照射する。
（２）回転ステージを用いて入射角を±２０度の範囲で変更しつつ、入射光強度に対する＋1次回折光強度を測定する。すなわち、回折効率の入射角依存性を実測する。
（３）入射角依存性の実測値と理論値（Kogelnikの結合波理論）とを比較し、光学的異方性を示す領域の異常光屈折率と光学的等方性を示す領域の屈折率との差である屈折率変調量ΔｎHを求める。なお、屈折率変調量ΔｎHが大きいほど回折光学素子の回折効率は大きい。
【００５８】
ここで得られた屈折率変調量ΔｎHは、図８に示されるように、露光温度により変化し、最大値が存在していた。そこで、屈折率変調量ΔｎHが最大となるときの露光温度（Ｔoeとする）を求めると、図９に示されるように、液晶ＡではＴoe＝６５．０℃、液晶ＢではＴoe＝７０．０℃、液晶ＣではＴoe＝１００．０℃、液晶ＤではＴoe＝９０．０℃、液晶ＥではＴoe＝９５．０℃、液晶ＦではＴoe＝９５．０℃、液晶ＧではＴoe＝９５．０℃、液晶ＨではＴoe＝６０．０℃であった。この露光温度Ｔoeが最適な露光温度である。
【００５９】
４．露光温度の決定式
露光温度Ｔoeは、図１０に示されるように、相分離温度Ｔspと相関関係があり、液晶の末端基がハロゲン系のときには、次の（１）式で示される近似式が得られた。また、液晶の末端基がシアノ系のときには、次の（２）式で示される近似式が得られた。すなわち、相分離温度Ｔspから適切な露光温度を決定することができる。
【００６０】
Ｔoe＝０．６２Ｔsp＋５１．９６  ……（１）
Ｔoe＝０．８０Ｔsp＋５８．３３  ……（２）
【００６１】
露光温度Ｔoeと相分離温度Ｔspとに相関関係があるということは、発明者によって初めて得られた知見である。また、液晶の末端基によって前記相関関係の傾向が異なるということも、発明者による新規知見である。
【００６２】
なお、液晶の末端基の種類を考慮しないときには、次の（３）式で示される近似式が得られた。
【００６３】
Ｔoe＝０．５８Ｔsp＋５８．６０  ……（３）
【００６４】
《露光温度の決定》
前述の「偏光ホログラムＨＧの製造方法」における「相分離温度Ｔspに基づいて決定された露光温度」とは、上記（１）式又は（２）式から算出された露光温度のことである。これにより、使用する液晶の相分離温度Ｔspを測定するだけで、適切な露光温度を求めることができ、従来の煩雑な予備実験が不要となる。
【００６５】
上記（１）式又は（２）式から算出された露光温度で製造された回折光学素子の特性が図１１に示されている。いずれも、高い回折効率を有している。なお、偏光選択性とは、（Ｓ偏光の＋１次回折効率）／（Ｐ偏光の＋１次回折効率）であり、小さいほど良い。
【００６６】
特に、末端基がハロゲン基である液晶Ａ、Ｅ、Ｇ、Ｈを用いた回折光学素子は、偏光選択性が１％以下であった。
【００６７】
前記光ピックアップ装置２３では、（１）偏光ホログラムＨＧが高い回折効率を有しているため、半導体レーザＬＤから光ディスク１５に向かう光束の光軸に対して基板面が垂直となるように偏光ホログラムＨＧを配置することができ、（２）偏光ホログラムＨＧでの回折角度が約２６度と非常に大きいため、半導体レーザＬＤと受光器ＰＤとの間隔が一定である場合には、半導体レーザＬＤ及び受光器ＰＤと、偏光ホログラムＨＧと、の間隔を従来よりも大幅に短縮することができる、ことから、光ピックアップ装置２３の薄型化が可能である。
【００６８】
また、例えば入射光に対して２０度の回折角を得るためには、波長が４０５ｎｍの場合には１．１μｍ程度のピッチが必要となり、波長が６５０ｎｍの場合には２．３μｍ程度のピッチが必要となる。本実施形態では、いずれの場合であっても、所望のピッチの周期構造を有する回折光学素子を容易に製造することができる。
【００６９】
以上の説明から明らかなように、本実施形態に係る光ディスク装置２０では、再生信号処理回路２８と、ＣＰＵ４０及び該ＣＰＵ４０によって実行されるプログラムとによって、処理装置が構成されている。なお、ＣＰＵ４０によるプログラムに従う処理の少なくとも一部をハードウェアによって構成することとしても良いし、あるいは全てをハードウェアによって構成することとしても良い。
【００７０】
以上説明したように、本実施形態によると、二光束干渉光を露光するときの露光温度を相分離温度Ｔspから決定している。これにより、ピッチが短く、高い回折効率を得るのに適切な露光温度を簡単に得ることができ、煩雑な予備実験が不要となる。すなわち、ピッチが短く、高い回折効率の回折光学素子を、安価に製造することが可能である。
【００７１】
また、その末端がハロゲン基で置換された２環あるいは多環の材料を主成分とする液晶を用いると良好な偏光選択性を得ることができる。
【００７２】
また、本実施形態に係る光ピックアップ装置２３によると、安価で、ピッチが短く、高い回折効率を有する偏光ホログラムＨＧを用いているため、大型化及び高コスト化を招くことなく、所望の信号を得ることが可能となる。
【００７３】
また、本実施形態に係る光ディスク装置２０によると、大型化及び高コスト化を招くことなく、所望の信号を得ることができる光ピックアップ装置２３を備えているため、大型化及び高コスト化を招くことなく、サーボ信号及びＲＦ信号を精度良く検出できる、すなわち、ディスクへの安定したアクセスを行うことが可能となる。
【００７４】
なお、上記実施形態では、φ＝９０度の場合について説明したが、一例として図１２に示されるように、φ≠９０度であっても良い。この場合には、周期構造の傾斜方向に応じてプラス側あるいはマイナス側の一方のみにブラック回折による回折光が出射される（図１３（Ｂ）参照）。すなわち、一方向に対して回折効率を高めることができる。このときに、回折させたい偏光方向における屈折率変調量ΔｎHと厚みｄを最適化することにより、プラス側あるいはマイナス側の一次回折光のみが高い回折効率で出射され、二次以上の高次の回折光はほとんどゼロとなるように設定することができる。
【００７５】
なお、上記実施形態では、上記（１）式又は（２）式を用いて算出された露光温度で露光する場合について説明したが、例えば、液晶の末端基が不明な場合や、ハロゲン基及びシアノ基以外の場合には、上記（３）式を用いて算出された露光温度で露光しても良い。
【００７６】
ところで、回折光学素子の回折効率は、屈折率変調量ΔｎH、及び膜厚ｄに依存する。入射角が０°のときに回折効率が最大となる条件は、次の（４）式で示される。例えば、λ＝４４０ｎｍ、φ＝９０°の場合は、ｄ・ΔｎH＝０．４４μｍとなる。
【００７７】
ｄ・ΔｎH＝［λ・（−ｃｏｓ２φ）1/2］  ……（４）
【００７８】
厚い回折光学素子について、Kogelnikの結合波理論に基づいて算出された回折効率の波長依存性が、図１４に示されている。ここでは、屈折率が１．５３、格子ピッチが１．０μｍ、φ＝８１．７度、λ＝４４０ｎｍ、入射角が０度としている。また、ｄ・ΔｎH＝０．４４μｍとしている。回折効率の波長依存性は、図１４に示されるように、膜厚ｄが大きくなるにつれて大きくなっている。すなわち、膜厚ｄが大きくなるにつれて回折効率の低下率が増大する。一般的には、回折効率の低下率が５％以下であれば実用上問題はない。
【００７９】
一般に、半導体レーザは温度変化などに起因してその発振波長が変化する。例えば、光ピックアップ装置で用いられている、発振波長が４０５ｎｍ、７８０ｎｍ及び６６０ｎｍの半導体レーザにおける波長変化は、±１０ｎｍ〜±２０ｎｍである。そこで、波長変動の最大値を±２０ｎｍとすると、図１４の場合には、膜厚ｄは１５μｍ以下であることが好ましい。そして、最大の回折効率を得るには、屈折率変調量ΔｎHは０．０２９以上であることが必要となる（図１５参照）。
【００８０】
液晶Ａを用いて、混合物における液晶の混合比率を高分子（（ｂ）〜（ｄ））に対して２０重量％〜５０重量％とし、前記と同様にして、二光束干渉露光により回折光学素子を製造し、その特性を評価した。このときの露光温度は液晶Ａの最適な露光温度である６５℃とした（図８参照）。図１６に示されるように、屈折率変調量ΔｎHは液晶の混合比率によって異なり、値としては０．０１〜０．０９であった（重量０％での値は理論値である）。ここで、前述したように半導体レーザーの波長変化を考慮すると、屈折率変調量ΔｎHは０．０２９以上であることが要求される。また、図１７及び図１８に示されるように、偏光選択性及びＳ偏光に対する透過率も液晶の混合比率により異なる。実用上は偏光選択性としては１．５％以内、透過率は９０％以上が好ましいため、実用上好ましい回折特性を得るためには、液晶の混合比は１０重量％〜３０重量％の範囲であることが好ましい。
【００８１】
また、上記実施形態では、混合セルに照射する多光束干渉光として、二光束干渉光を用いる場合について説明したが、これに限らず、二光束よりも多くの光束を用いても良い。要するに、必要とする周期の干渉縞が生成されれば良い。
【００８２】
また、上記実施形態では、情報の記録及び再生が可能な光ディスク装置について説明したが、これに限らず、情報の記録、再生及び消去のうち、少なくとも情報の再生が可能な光ディスク装置であれば良い。
【００８３】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６５０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。
【産業上の利用可能性】
【００８４】
以上説明したように、本発明の回折光学素子の製造方法によれば、高コスト化を招くことなく、ピッチが短く、高い回折効率を有する回折光学素子を得るのに適している。また、本発明の回折光学素子によれば、ピッチが短く、高い回折効率の回折光学素子を安価に得るに適している。また、本発明の光ピックアップ装置によれば、大型化及び高コスト化を招くことなく、所望の信号を得るのに適している。また、本発明の光ディスク装置によれば、大型化及び高コスト化を招くことなく、光記録媒体への安定したアクセスを行うのに適している。
【図面の簡単な説明】
【００８５】
【図１】本発明の一実施形態に係る光ディスク装置の構成を示すブロック図である。
【図２】図１の光ピックアップ装置を説明するための図である。
【図３】図２の偏光ホログラムを説明するための図である。
【図４】図４（Ａ）及び図４（Ｂ）は、それぞれ図２の偏光ホログラムの機能を説明するための図である。
【図５】図５（Ａ）〜図５（Ｃ）は、それぞれ図２の偏光ホログラムの製造方法を説明するための図である。
【図６】テストに用いた液晶材料の特性を説明するための図である。
【図７】相分離温度の測定結果を説明するための図である。
【図８】屈折率変調量と露光温度との関係を説明するための図である。
【図９】最適な露光温度を説明するための図である。
【図１０】相分離温度と最適な露光温度との関係を説明するための図である。
【図１１】適切な露光温度で製造された回折光学素子の特性を説明するための図である。
【図１２】図２の偏光ホログラムの変形例を説明するための図である。
【図１３】図１３（Ａ）及び図１３（Ｂ）は、それぞれ図１２の偏光ホログラムの機能を説明するための図である。
【図１４】回折効率と波長変化との関係を説明するための図である。
【図１５】屈折率変調量の最小値を説明するための図である。
【図１６】屈折率変調量と液晶の混合比率との関係を説明するための図である。
【図１７】偏光選択性と液晶の混合比率との関係を説明するための図である。
【図１８】Ｓ偏光に対する透過率と液晶の混合比率との関係を説明するための図である。
【符号の説明】
【００８６】
１５…光ディスク（光記録媒体）、２０…光ディスク装置、２３…光ピックアップ装置、２８…再生信号処理回路（処理装置の一部）、４０…ＣＰＵ（処理装置の一部）、５２…コリメートレンズ（光学系の一部）、５５…１／４波長板（光学系の一部）、６０…対物レンズ、ＨＧ…偏光ホログラム（回折光学素子）、ＬＤ…半導体レーザ（光源）、ＰＤ…受光器（光検出器）。
【図１】
2006243416.tif 000003
【図２】
2006243416.tif 000004
【図３】
2006243416.tif 000005
【図４】
2006243416.tif 000006
【図５】
2006243416.tif 000007
【図６】
2006243416.tif 000008
【図７】
2006243416.tif 000009
【図８】
2006243416.tif 000010
【図９】
2006243416.tif 000011
【図１０】
2006243416.tif 000012
【図１１】
2006243416.tif 000013
【図１２】
2006243416.tif 000014
【図１３】
2006243416.tif 000015
【図１４】
2006243416.tif 000016
【図１５】
2006243416.tif 000017
【図１６】
2006243416.tif 000018
【図１７】
2006243416.tif 000019
【図１８】
2006243416.tif 000020